【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
体内に挿入される遠位端を有するカテーテル、及びプロセッサを有するカテーテル位置案内システムとともに用いられるガイドインサートアセンブリーであって、
前記カテーテルに挿入したときに前記カテーテルの前記遠位端に隣接する第１の端部及び遠位端を有し、挿入された際にカテーテルを硬化するための長尺状補剛材と、
その２つの端部によって前記プロセッサに接続可能であり、前記長尺状補剛材の全長に沿った屈曲部を形成するとともに、さらに前記長尺状補剛材の遠位端に隣接する電磁場ラジエータを形成する信号導電ワイヤと
を備え、
前記長尺状補剛材の遠位端が、前記電磁場ラジエータに非導電的に接続されている、ガイドインサートアセンブリー。
【請求項２】
前記信号導電ワイヤが、比較的薄い塗膜を有する、請求項１に記載のガイドインサートアセンブリー。
【請求項３】
前記長尺状補剛材が、第１のセグメント及び第２のセグメントを形成し、
前記第１及び第２のセグメントが相互に巻き付くようにし、前記長尺状補剛材の第１の端部と遠位端との間の少なくとも一部にツイストアセンブリーを形成する、請求項１に記載のガイドインサートアセンブリー。
【請求項４】
前記電磁場ラジエータと動作可能に関連するインダクタンス増強素子を含む、請求項１に記載のガイドインサートアセンブリー。
【請求項５】
前記インダクタンス増強素子が、強磁性特性を有する、請求項４に記載のガイドインサートアセンブリー。
【請求項６】
前記インダクタンス増強素子が、開口部を決定する外面及び内壁を有し、
前記信号導電ワイヤの一部が、前記外面の周囲を包み込んで第１のコイル層及び第２のコイル層を形成し、
前記第１及び第２のコイル層が、複数の螺旋構造物を有し、
前記第２のコイル層の螺旋構造物が、前記第１のコイル層の螺旋構造物に対応して一様にパターン化されている、請求項５に記載のガイドインサートアセンブリー。
【請求項７】
前記長尺状補剛材の第２の端部の一部と電磁場ラジエータとの間の結合が、前記インダクタンス増強素子の開口部内で生じる、請求項６に記載のガイドインサートアセンブリー。
【請求項８】
前記インダクタンス増強素子が、磁石である、請求項４に記載のガイドインサートアセンブリー。
【請求項９】
前記長尺状補剛材が、チューブである、請求項１に記載のガイドインサートアセンブリー。
【請求項１０】
前記電磁場ラジエータが、実質的に前記チューブの遠位端の外側に位置する、請求項９に記載のガイドインサートアセンブリー。
【請求項１１】
プロセッサを有するカテーテル位置案内システムと併用されるガイドインサートアセンブリーであって、
上面部と、底面部と、前記上面部を前記底面部に取り付ける少なくとも１つの締結部と、複数のコンタクト部材とを有し、当該複数のコンタクト部材が前記プロセッサと動作可能に接続可能であるコネクタ部；
比較的薄い塗膜を有するワイヤを含み、前記ワイヤの端部が各コンタクト部材に動作可能に接続し、前記ワイヤがその長さにわたってそれ自身に巻き付く信号導電部；
第１の端部及び第２の端部を有する長尺状補剛材アセンブリーであって、前記長尺状補剛材の第１の端部が前記コネクタ部の一部に接続されて第１のセグメント及び第２のセグメントを形成し、前記第１及び第２のセグメントが互いに巻き付き、前記信号導電部のワイヤアセンブリーが前記長尺状補剛材に巻き付く、長尺状補剛材アセンブリー；
開口部を決定する外面部及び内壁部を有し、前記信号導電ワイヤの一部が、前記外面部の周囲を包み込んで少なくとも１つのコイルを形成し、当該コイルが複数の螺旋構造物を有するインダクタンス増強素子；
前記インダクタンス増強素子及び少なくとも１つのコイルを封入する保護材；及び
前記長尺状補剛材の第２の端部の一部と前記インダクタンス増強素子の開口部内のインダクタンス増強素子との結合部
を備える、ガイドインサートアセンブリー。
【請求項１２】
前記コネクタ部の上面部及び底面部が、機械的な又は化学的な締結部によって相互に取り付けられる、請求項１１に記載のガイドインサートアセンブリー。
【請求項１３】
前記機械的な締結部が、スナップ、スクリュー、及びリベットからなる群より選ばれる１つの締結部である、請求項１２に記載のガイドインサートアセンブリー。
【請求項１４】
前記化学的な締結部が、接着剤、化学結合、溶接ボンド、及び成形物からなる群より選ばれる１つの締結部である、請求項１２に記載のガイドインサートアセンブリー。
【請求項１５】
前記信号導電ワイヤが、低抵抗材料からなる、請求項１１に記載のガイドインサートアセンブリー。
【請求項１６】
前記信号導電ワイヤの巻き付けが、その長さにわたり１ｍあたり５００〜６００のねじれを含む、請求項１１に記載のガイドインサートアセンブリー。
【請求項１７】
前記長尺状補剛材が、鉄鋼材料である、請求項１１に記載のガイドインサートアセンブリー。
【請求項１８】
前記長尺状補剛材が、チューブである、請求項１１に記載のガイドインサートアセンブリー。
【請求項１９】
前記電磁場ラジエータが、実質的に前記チューブの遠位端の外側に位置する、請求項１８に記載のガイドインサートアセンブリー。
【請求項２０】
表示装置と受信機と通信するプロセッサを有するカテーテル位置案内システムと併用されるガイドインサートアセンブリーであって、
前記プロセッサに動作可能に接続される複数のコンタクト部材を有するコネクタ部；
前記コネクタ部に接続された少なくとも１つのワイヤを有する信号導電部；
第１の端部及び第２の端部を有し、前記第１の端部が前記コネクタ部に接続された長尺状補剛材；及び
前記信号導電部の遠位端に動作可能に形成され、前記長尺状補剛材の第２の端部に動作可能に接続された電磁場ラジエータを備え、
前記電磁エネルギーラジエータが、前記受信機によって検出可能な電磁場を生成し、前記受信機が、前記電磁場に基づいて前記プロセッサに信号を通信し、前記表示装置に表示させる処理をし、前記信号に基づく少なくとも一部のカテーテル情報のグラフィック表示を可能にする、ガイドインサートアセンブリー。
【請求項２１】
前記信号導電部が、比較的薄い塗膜を有するワイヤを含む、請求項２０に記載のガイドインサートアセンブリー。
【請求項２２】
前記信号導電部の各ワイヤが、前記コネクタ部と前記長尺状補剛材の第２の端部との間の一部にわたってツイストアセンブリーを形成する、請求項２０に記載のガイドインサートアセンブリー。
【請求項２３】
前記長尺状補剛材が、第１のセグメント及び第２のセグメントを形成し、
前記第１及び第２のセグメントが、相互に巻き付くことで、ツイストアセンブリーを形成し、
各信号導電ワイヤが、前記長尺状補剛材のツイストアセンブリーの一部に巻き付く、請求項２０に記載のガイドインサートアセンブリー。
【請求項２４】
前記電磁場ラジエータと動作可能に結合するインダクタンス増強素子を含む、請求項２０に記載のガイドインサートアセンブリー。
【請求項２５】
前記インダクタンス増強素子が、強磁性特性を有する、請求項２４に記載のガイドインサートアセンブリー。
【請求項２６】
前記インダクタンス増強素子が、強磁性特性、開口部を決定する外面部及び内壁部を有し、前記信号導電ワイヤの一部が、前記外面部で包み込まれ、第１のコイル層及び第２のコイル層を形成し、前記第１及び第２のコイル層が、複数の螺旋構造物を有し、前記第２のコイル層の螺旋構造物が、第１のコイル層の螺旋構造物に対応して一様にパターン化されている、請求項２４に記載のガイドインサートアセンブリー。
【請求項２７】
前記長尺状補剛材の第２の端部と電磁場ラジエータとの間の結合が、インダクタンス増強素子の開口部内で生じる、請求項２６に記載のガイドインサートアセンブリー。
【請求項２８】
前記長尺状補剛材が、チューブである、請求項２０に記載のガイドインサートアセンブリー。
【請求項２９】
前記電磁場ラジエータが、実質的に前記チューブの遠位端の外側に位置する、請求項２８に記載のガイドインサートアセンブリー。
【請求項３０】
信号導電ワイヤが、その長さに沿って１ｍあたり５００〜６００のねじれを有する、請求項２０に記載のガイドインサートアセンブリー。
【請求項３１】
プロセッサを有するカテーテル位置案内システムと併用されるガイドインサートアセンブリーであって、
前記プロセッサに動作可能に接続される少なくとも１つのワイヤを有する信号導電部；
第１の端部及び第２の端部を有し、前記第１の端部が前記信号導電部に対応して固定されてなる長尺状補剛材；
前記長尺状補剛材の第２の端部に隣接し、前記信号導電部に接続された電磁場ラジエータ；及び
前記長尺状補剛材の第２の端部の一部と前記電磁場ラジエータとの間の結合部
を備える、ガイドインサートアセンブリー。
【請求項３２】
前記電磁場ラジエータの動作する近傍に位置するインダクタンス増強素子をさらに備える、請求項３１に記載のガイドインサートアセンブリー。
【請求項３３】
前記インダクタンス増強素子が、強磁性特性を有する、請求項３１に記載のガイドインサートアセンブリー。
【請求項３４】
前記インダクタンス増強素子が、磁石である、請求項３１に記載のガイドインサートアセンブリー。
【請求項３５】
前記インダクタンス増強素子が、開口部を決定する外面部及び内壁部を有し、信号導電ワイヤの一部が、前記外面部を包み込み、第１のコイル層及び第２のコイル層を形成し、前記第１及び第２のコイル層が、複数の螺旋構造物を有し、前記第２のコイル層の螺旋構造物が、前記第１のコイル層の螺旋構造物に対応して一様にパターン化されている、請求項３１に記載のガイドインサートアセンブリー。
【請求項３６】
前記長尺状補剛材の第２の端部の一部と電磁場ラジエータとの間の結合部が、前記インダクタンス増強素子の開口部内で生じる、請求項３５に記載のガイドインサートアセンブリー。
【請求項３７】
前記信号導電部が、比較的薄い塗膜を有する、請求項３１に記載のガイドインサートアセンブリー。
【請求項３８】
前記信号導電部が、前記プロセッサと前記電磁場ラジエータとの間の距離の一部のツイストワイヤである、請求項３１に記載のガイドインサートアセンブリー。
【請求項３９】
前記長尺状補剛材が、チューブである、請求項３１に記載のガイドインサートアセンブリー。
【請求項４０】
前記電磁場ラジエータが、実質的に前記チューブの遠位端の外側に位置する、請求項３９に記載のガイドインサートアセンブリー。
【手続補正２】
【補正対象書類名】明細書
【補正対象項目名】００４３
【補正方法】変更
【補正の内容】
【００４３】
３．ガイドインサートアセンブリーＩ
図６〜１０に最もよく示すように、大きな内径のカテーテルに最も適合する一の実施形態において、ガイドインサートアセンブリー１２は、（ａ）プロセッサ２０（図示せず）に動作可能なように接続された電気コネクタ３６；（ｂ）コネクタ３６に動作可能なように接続された信号導電ワイヤアセンブリー３８（図７Ａ，８）；（ｃ）コネクタ３６に接続され、この実施形態において信号導電ワイヤアセンブリー３８の支持部としての役割を果たす長尺状補剛材（単独で使用される際に、カテーテル５０を固定し、位置へのカテーテルの操作を補助するために使用される「スタイレット」として最もよく知られる素子）３９；（ｄ）信号導電ワイヤの一部として動作可能であり、信号導電ワイヤアセンブリー３８の遠位端に位置する電磁場ラジエータ５８（図６，８，１０）；（ｅ）この実施形態において、長尺状補剛材３９の遠位端に接続され、この実施形態において電磁場ラジエータ５８の支持部としての役割を果たすインダクタンス増強素子２３８（図９，１０）；（ｆ）電磁場ラジエータ５８を覆う、又は封入する保護部６３（図１０）；及び（ｇ）この実施形態において長尺状補剛材３９の遠位端２２６を電磁場ラジエータ５８（図１０）に取り付ける固定部６４を含む。管状のカバー部４０（図６）は、図１に描かれた実施形態において、ガイドインサートアセンブリー１２の残りがカテーテル５０内に延びている間のＹコネクタまでの信号導電ワイヤアセンブリー３８の一部分を覆う。
【手続補正３】
【補正対象書類名】明細書
【補正対象項目名】００４７
【補正方法】変更
【補正の内容】
【００４７】
図７Ａ，Ｂ及び８に最もよく示すように、一の実施形態において、信号導電ワイヤアセンブリー３８は、（ａ）端子２０６Ａに接続された銅線（又は他の適当な低抵抗導線）２０２のような長尺状の弾性を有する導線の第１の端部２０６；及び（ｂ）端子２１２Ａに接続された信号導電ワイヤ２０２の第２の端部２１２を有する。両端子は、ブロック２１３を通って縦方向に延伸し、他のコネクタ又は装置１０に配置されたプロセッサに直接的に接続するためのソケット２０６Ｂ，２１２Ｂをそれぞれ備える。